(57)【要約】　　　（修正有）【課題】ブランド販売目標額を達成でき、店舗フェースに使用する商品を確保して、店舗の販売目標額を達成することができる商品の販売・仕込計画立案システムを提供する。【解決手段】販売・仕入計画立案システムは、データ記憶部１０のブランド販売目標額、プロファイルデータ記憶部１４の各販売予定商品のスタイル毎の販売比率及び商品データ記憶部１２の消費者の需要に基づいて予測された各販売予定商品のアイテム内のスタイル毎の需要動向に基づいて、所定期間内の各時点毎における各販売予定商品のアイテム内のスタイル毎の販売予定数量を算出し、フェースデータ記憶部１８に記憶されている店舗のフェースのデータに基づいて、所定期間内の各時点毎に各店舗において必要となる各商品のアイテム内のスタイル毎の商品数量を算出する。また、データ記憶部１０の店舗販売目標額及び商品データ記憶部１２の過去の販売実績に基づいて店舗販売予定数量を算出する。【選択図】　図１
2004086396.tif 000002
【特許請求の範囲】
【請求項１】
所定期間内におけるブランドの販売目標額を記憶するブランド販売目標額記憶手段と、
前記所定期間内における各販売予定商品のアイテム内のスタイル毎に、過去の販売実績に基づいた該スタイル毎の販売比率を記憶する販売比率記憶手段と、
前記所定期間内における前記各販売予定商品のアイテム内のスタイル毎の需要動向を消費者の需要に基づいて予測する需要動向予測手段と、
前記ブランド販売目標額記憶手段により記憶されている販売目標額、前記販売比率記憶手段により記憶されている前記各販売予定商品のアイテム内のスタイル毎の販売比率及び前記需要動向予測手段により予測された前記各販売予定商品のアイテム内のスタイル毎の需要動向に基づいて、前記所定期間内の各時点毎における前記各販売予定商品のアイテム内のスタイル毎の販売予定数量を算出する販売予定数量算出手段と、
前記所定期間内の各時点毎の各店舗における商品の陳列レイアウトを設定する店舗フェース設定手段と、
前記店舗フェース設定手段により設定された店舗のフェースを構成するために、前記所定期間内の各時点毎に前記各店舗において必要となる各商品のアイテム内のスタイル毎の商品数量を算出するフェース商品数量算出手段と、
前記所定期間内における店舗の販売目標額を記憶する店舗販売目標額記憶手段と、
前記過去の販売実績に基づいて前記各販売予定商品のアイテム内のスタイル毎の店舗販売予定数量を算出する店舗販売予定数量算出手段と、
前記販売予定数量算出手段により算出された各販売予定商品のアイテム内のスタイル毎の販売予定数量、前記フェース商品数量算出手段により算出された各商品のアイテム内のスタイル毎の商品数量及び前記店舗販売予定数量算出手段により算出された各販売予定商品のアイテム内のスタイル毎の店舗販売予定数量に基づいて、前記所定期間内の各時点毎に必要となる各商品のアイテム内のスタイル毎の数量を算出する商品数量算出手段と
を備えることを特徴とする販売・仕入計画立案システム。
【請求項２】
前記商品は、顧客に対して販売する予定の販売予定商品及び前記顧客に対して販売する予定がないディスプレイ用商品を含むことを特徴とする請求項１記載の販売・仕入計画立案システム。
【請求項３】
前記ブランド販売目標額記憶手段に記憶される前記販売目標額は、前記各店舗毎の販売目標額の合計値であることを特徴とする請求項１又は請求項２記載の販売・仕入計画立案システム。
【請求項４】
前記フェース設定手段は、
分割された前記店舗内の商品展示スペースに展示する少なくとも２以上の商品を組み合わせて構成されているカセットを記憶するカセット記憶手段を備え、
前記カセット記憶手段に記憶されているカセットの中からカセットを選択し、選択されたカセットを組み合わせることにより前記店舗のフェースを作成することを特徴とする請求項１〜請求項３の何れか一項に記載の販売・仕入計画立案システム。
【請求項５】
前記フェース設定手段は、
前記商品に関する商品データを該商品のアイテム内のスタイル毎に記憶している商品データ記憶手段を更に備え、
前記商品データ記憶手段に記憶されている商品データに基づいて、前記カセット内における商品の陳列レイアウトを作成するために複数の商品を組み合わせることによって該カセットを作成することを特徴とする請求項１〜請求項４の何れか一項に記載の販売・仕入計画立案システム。
【発明の詳細な説明】
【０００１】
【発明の属する技術分野】
この発明は、店舗において商品を販売する際に必要となる商品の数量に関する計画を立案する販売・仕入計画立案システムに関するものである。
【０００２】
【従来の技術】
従来、購入者によって直接消費される商品（最終消費財）を販売しているメーカ、例えば、服飾業界におけるメーカでは、ブランド毎にそのブランドで年間にどれだけの販売額を達成するか、即ち、年間にそのブランドの商品でどれだけの販売額を達成するかというブランドの販売目標額を設定していた。そして、設定されたブランドの販売目標額を達成するために必要となる各商品の販売計画を立案していた。一方、実際に商品を販売する店舗は、各店舗の立地条件等の店舗毎の特性を考慮して店舗内における商品の陳列レイアウト、即ち、商品を陳列した場合の店舗内の見た目である店舗のフェース（棚割り）を作成していた。更に、実際に商品を販売する店舗においても、店舗の販売目標額を設定していた。
【０００３】
【発明が解決しようとする課題】
ところで、ブランドの販売目標額を達成することを目標とした販売計画に基づいて商品の仕入計画を立案している場合、店舗の販売目標額及びフェースは考慮されていないため、立案された仕入計画と各店舗において必要とされている商品に不一致が生じてしまう。即ち、仕入計画はブランドの販売目標額を達成することができるように、顧客に対して販売する予定の商品（販売予定商品）について作成されている。一方、店舗のフェースは、顧客を惹きつけること等を目的とし、販売予定商品の他に顧客に対して販売を目的としない商品（ディスプレイ用商品）を用いて構成されている。また、店舗もそれぞれ販売目標額を設定している。従って、ブランドの販売目標額に基づいて立案された仕入計画によっては、店舗のフェースを実現するために必要となる全ての商品を確保することができない可能性と共に、店舗の販売目標額を達成することができない可能性があった。
【０００４】
この発明の課題は、ブランドの販売目標額を達成することができると共に、店舗のフェースに使用する商品を確保し、かつ、店舗の販売目標額を達成することができる販売・仕入計画を立案する販売・仕入計画立案システムを提供することである。
【０００５】
【課題を解決するための手段】
請求項１記載の販売・仕入計画立案システムは、所定期間内におけるブランドの販売目標額を記憶するブランド販売目標額記憶手段と、前記所定期間内における各販売予定商品のアイテム内のスタイル毎に、過去の販売実績に基づいた該スタイル毎の販売比率を記憶する販売比率記憶手段と、前記所定期間内における前記各販売予定商品のアイテム内のスタイル毎の需要動向を消費者の需要に基づいて予測する需要動向予測手段と、前記ブランド販売目標額記憶手段により記憶されている販売目標額、前記販売比率記憶手段により記憶されている前記各販売予定商品のアイテム内のスタイル毎の販売比率及び前記需要動向予測手段により予測された前記各販売予定商品のアイテム内のスタイル毎の需要動向に基づいて、前記所定期間内の各時点毎における前記各販売予定商品のアイテム内のスタイル毎の販売予定数量を算出する販売予定数量算出手段と、前記所定期間内の各時点毎の各店舗における商品の陳列レイアウトを設定する店舗フェース設定手段と、前記店舗フェース設定手段により設定された店舗のフェースを構成するために、前記所定期間内の各時点毎に前記各店舗において必要となる各商品のアイテム内のスタイル毎の商品数量を算出するフェース商品数量算出手段と、前記所定期間内における店舗の販売目標額を記憶する店舗販売目標額記憶手段と、前記過去の販売実績に基づいて前記各販売予定商品のアイテム内のスタイル毎の店舗販売予定数量を算出する店舗販売予定数量算出手段と、前記販売予定数量算出手段により算出された各販売予定商品のアイテム内のスタイル毎の販売予定数量、前記フェース商品数量算出手段により算出された各商品のアイテム内のスタイル毎の商品数量（フェース商品数量）及び前記店舗販売予定数量算出手段により算出された各販売予定商品のアイテム内のスタイル毎の店舗販売予定数量に基づいて、前記所定期間内の各時点毎に必要となる各商品のアイテム内のスタイル毎の数量を算出する商品数量算出手段とを備えることを特徴とする。
【０００６】
この請求項１記載の販売・仕入計画立案システムによれば、販売予定数量、フェース商品数量及び店舗販売予定数量に基づいて、所定期間内の各時点毎に必要となる各商品のアイテム内のスタイル毎に必要な仕入数量を算出している。従って、ブランドの販売目標額を達成するために必要となる商品、店舗のフェースを構成するために必要となる商品及び店舗の販売目標額を達成するために必要となる商品の数量を、所定期間内の各時点毎において確保できる仕入計画を立案することができる。
【０００７】
また、請求項２記載の販売・仕入計画立案システムは、前記商品が、顧客に対して販売する予定の販売予定商品及び前記顧客に対して販売する予定がないディスプレイ用商品を含むことを特徴とする。
【０００８】
この請求項２記載の販売・仕入計画立案システムによれば、店舗のフェースに使用される商品には、販売予定商品及びディスプレイ用商品が含まれている。そして、このディスプレイ用商品の数量を含む商品数量に基づいて仕入が必要な商品の数量が算出されるため、各店舗のフェースに使用する販売予定商品及びディスプレイ用商品を的確に確保することができる。
【０００９】
また、請求項３記載の販売・仕入計画立案システムは、前記ブランド販売目標額記憶手段に記憶される前記販売目標額が、前記各店舗毎の販売目標額の合計値であることを特徴とする。
【００１０】
この請求項３記載の販売・仕入計画立案システムによれば、各店舗毎の販売目標額の合計値に基づいて仕入数量を算出することができる。この各店舗の販売目標額の合計値はブランドの販売目標額であるため、確実にブランドの販売目標額を達成することができる商品数量を算出し、適切な仕入計画を立案することができる。
【００１１】
また、請求項４記載の販売・仕入計画立案システムは、前記フェース設定手段が、分割された前記店舗内の商品展示スペースに展示する少なくとも２以上の商品を組み合わせて構成されているカセットを記憶するカセット記憶手段を備え、前記カセット記憶手段に記憶されているカセットの中からカセットを選択し、選択されたカセットを組み合わせることにより前記店舗のフェースを作成することを特徴とする。
【００１２】
この請求項４記載の販売・仕入計画立案システムによれば、店舗のフェースを複数のカセットを組み合わせることによって作成することができるため、容易に所望の店舗のフェースを作成することができる。
【００１３】
また、請求項５記載の販売・仕入計画立案システムは、前記フェース設定手段が、前記商品に関する商品データを該商品のアイテム内のスタイル毎に記憶している商品データ記憶手段を更に備え、前記商品データ記憶手段に記憶されている商品データに基づいて、前記カセット内における商品の陳列レイアウトを作成するために複数の商品を組み合わせることによって該カセットを作成することを特徴とする。
【００１４】
この請求項５記載の販売・仕入計画立案システムによれば、カセット内における商品の陳列レイアウトを作成するために複数の商品を組み合わせてカセットを作成することができるため、店舗の立地条件等の各々の店舗の特性を考慮した適切な店舗のフェースを作成することができる。
【００１５】
【発明の実施の形態】
以下、図面を参照して、この発明の実施の形態に係る販売・仕入計画立案システムについて説明する。なお、以下においては、服飾業界における販売・仕入計画を立案する場合を例として説明する。
【００１６】
図１は、実施の形態に係る販売・仕入計画立案システムのブロック構成図である。この図１に示すように、販売・仕入計画立案システムは、商品の仕入数量の算出等の処理を行うデータ処理部２を備えている。このデータ処理部２には、所定期間内にどれだけの販売額を達成するかというブランドの販売目標額等を入力する入力部４、算出された仕入数量等を表示する表示部６及び算出された仕入数量等を印字する印字部８が接続されている。また、データ処理部２には、入力されたブランドの販売目標額等を記憶するデータ記憶部１０、商品に関する商品データを記憶している商品データ記憶部１２及び商品のアイテム内のスタイル（型）毎に予測される需要動向（プロファイル）のデータ等を記憶するプロファイルデータ記憶部１４が接続されている。更に、データ処理部２には、分割された店舗内の商品展示スペースであるカセットに展示する複数の商品のカセット内における陳列レイアウトのデータを記憶しているカセットデータ記憶部１６及び店舗内における商品の陳列レイアウト、即ち、店舗内の見た目である店舗のフェースのデータを記憶するフェースデータ記憶部１８が接続されている。
【００１７】
データ記憶部１０に記憶には、ブランドの販売目標額、即ち、年間又は所定のシーズン期間中に、ブランド名を付して販売されているそれぞれの商品でどれだけの販売額を達成するかを示すものが記憶される。また、店舗の販売目標額、即ち、ブランド名を付した商品を販売する各店舗において、年間にどれだけの販売額を達成するかを示すものが記憶される。なお、ブランド名を付した商品を販売する店舗が複数存在している場合には、ブランドの販売目標額を各店舗に割り振ることによって各店舗の販売目標額が設定されるようにしてもよい。また、始めに各店舗の販売目標額を設定し、各店舗の販売目標額の合計値をブランドの販売目標額として設定するようにしてもよい。また、一部の店舗については店舗毎に販売目標額を設定し、その他の店舗においてはブランドの販売目標額を割り振ることによって販売目標額を設定するようにしてもよい。
【００１８】
また、商品データ記憶部１２に記憶されている商品データは、各商品のアイテム内のスタイル毎の過去の販売実績、商品の画像データ、素材及び平均単価等を含むデータである。この商品データは、商品毎に付与されている商品コード及び各商品のアイテム内のスタイル毎に付与されているスタイルコードに対応させて記憶されている。ここで、ブランドの名を付して販売する商品には、アイテム、即ち、スカート、ジャケット、スーツ等が含まれている。また、アイテムには、スタイル、即ち、アイテムがスカートである場合に、ミニスカート、タイトスカート、フレアスカート及びロングスカート等が含まれている。なお、商品データ記憶部１２には、顧客に対して販売を予定している商品（販売予定商品）と、顧客に対して販売を行うことを予定していない商品（ディスプレイ用商品）の双方の商品データが記憶されている。また、商品データ記憶部１２には、消費者の需要に関するデータ、即ち、各シーズンの流行を予測した流行予測データ、例えば、今年の春シーズンにはミニスカートが流行する等を予測したデータが記憶されている。
【００１９】
また、プロファイルデータ記憶部１４には、各商品のアイテム内のスタイル毎に作成されるプロファイルのデータ及び各商品のアイテム内のスタイル毎に算出される販売比率がランキングされたデータが記憶される。
【００２０】
ここで、プロファイルとは、商品データ記憶部１２に記憶されている流行予測データに基づいて、所定期間内に各商品のアイテム内の各スタイルに対する消費者の需要がどのように推移するかの予測である。また、販売比率とは、シーズン期間中における商品のアイテム内の各スタイルの販売額又は販売数量が、その商品が帰属するアイテム全体の販売目標額又は販売目標数量に占める割合である。また、販売比率がランキングされたデータとは、販売比率が高い順番に各スタイルがランキングされたデータである。なお、プロファイルデータ及び販売比率をランキングしたデータは、商品コード及びスタイルコードに対応させて記憶される。
【００２１】
また、カセットデータ記憶部１６に記憶されているカセットのデータとは、個々のカセットの構成に関するデータ、即ち、個々のカセットの中にどの商品のアイテム内のどのスタイルが何枚含まれているか等のデータである。カセットは、シーズン毎にカセット内における商品の陳列レイアウトを考慮して予め作成されている。即ち、カセットを構成する商品の配色や商品の組み合わせを考慮して、カセットを構成する商品及びその商品のカセット内の配置を設定した複数のカセットが予め作成されている。なお、このカセットのデータは、個々のカセットに付与されているカセットＩＤに対応させてカセットデータ記憶部１６に記憶されている。
【００２２】
また、フェースデータ記憶部１８に記憶されるフェースのデータとは、各店舗におけるカセットの組み合わせに関するデータである。即ち、各店舗においては、複数のカセットを組み合わせることによって店舗内における商品の陳列レイアウトである店舗のフェースが作成される。従って、各店舗においてどのカセットがいくつ使用され、それぞれのカセットが各店舗内のどこに配置されているかを示すデータである。なお、フェースデータ記憶部１８には、店舗の売り場面積、店舗の立地条件等、店舗の特性を示す店舗データも記憶されている。
【００２３】
次に、図２に示すフローチャートを参照して、実施の形態に係る販売・仕入計画立案システムにより行われる処理について説明する。
【００２４】
まず、販売・仕入計画を立案するシーズンを選択する（ステップＳ１０）。例えば、春夏秋冬のシーズンの中から任意のシーズンを入力部４を介して入力する。なお、シーズンの選択は、表示部６に所定のシーズンを表示し、表示されているシーズンの中から、図示しないマウス等のポインティングデバイスを用いて任意のシーズンを指定することによって行うようにしてもよい。
【００２５】
次に、選択したシーズンにおけるブランド全体の販売目標額を入力する（ステップＳ１１）。例えば、シーズンとして春を選択している場合、春シーズンにおけるブランド全体の販売目標額を入力部４を介して入力する。なお、入力された販売目標額はデータ記憶部１０に記憶される。
【００２６】
次に、各販売予定商品のアイテム内のスタイル毎のランキングを作成する（ステップＳ１２）。即ち、商品データ記憶部１２に記憶されている過去の販売実績及び流行予測データに基づいて、例えば、シーズン期間中における販売予定商品のアイテムであるスカートの販売目標額を算出し、算出されたスカートの販売目標額に対するミニスカートの販売比率を予測する。また、ミニスカート以外のタイトスカート、フレアスカート等の他のスカートのスタイルについても同様に販売比率を予測する。そして、予測された各スタイルの販売比率が高い順にスタイルのランキングを行う。
【００２７】
図３は、スカートのスタイルの販売比率をランキングしたものの一例を示すものである。この図３に示すように、スカートの販売目標額に対する販売比率が高い順に、ミニスカート、タイトスカート、フレアスカート、…というようにスタイルの販売比率のランキングが作成される。なお、予測された販売比率は、商品コード及びスタイルコードに対応させてプロファイルデータ記憶部１４に記憶される。また、同様にして、ステップＳ１０において選択されたシーズンに販売が予定されている販売予定商品のアイテム内の各スタイルについて販売比率を予測し、予測された販売比率のランキングを作成する。
【００２８】
ここで、過去の販売実績が商品データ記憶部１２に記憶されていない販売予定商品のアイテム内のスタイル、例えば、新規発売予定の販売予定商品のアイテム内のスタイルである等の場合には、商品データ記憶部１２に記憶されている流行予測データに基づいて販売予定商品のアイテム内の販売目標額を算出する。そして、算出された販売予定商品のアイテムの販売目標額に対するスタイルの販売比率を予測し、予測された販売比率のランキングを作成する。
【００２９】
次に、ステップＳ１２において作成されたランキングに基づいて各販売予定商品のアイテム内のスタイル毎にシーズン期間中に必要となる数量を算出する（ステップＳ１３）。即ち、まず、ステップＳ１２においてランキングされた販売比率に基づいて、データ記憶部１０に記憶されているブランドの販売目標額を達成するために必要となる各販売予定商品のアイテム内のスタイル毎の販売額を算出する。そして、算出された販売額を商品データ記憶部１２に記憶されている商品のアイテム内のスタイルの平均単価で除算することによって、販売目標額を達成するために必要となる各販売予定商品のアイテム内のスタイル毎の数量を算出する。なお、算出された各販売予定商品のアイテム内のスタイル毎のシーズン期間中に必要となる数量は、商品コード及びスタイルコードに対応させてデータ記憶部１０に記憶される。
【００３０】
次に、商品データ記憶部１２に記憶されている流行予測データに基づいて、シーズン期間中における各販売予定商品のアイテム内のスタイル毎のプロファイルを作成する（ステップＳ１４）。即ち、各スタイルの需要がシーズン期間中にどのように推移するかの予測を作成する。
【００３１】
図４は、春シーズンの販売予定商品のアイテムであるスカートのスタイル毎に作成されたプロファイルの一例を示すものである。この図４のグラフ２０に示すように、タイトスカートはシーズン当初に需要のピークを迎え、その後は急激に需要が減少すると予測されている。また、グラフ２２に示すように、フレアスカートは、シーズン期間中ほぼ一定の需要があると予測されている。更に、グラフ２４に示すように、ミニスカートは、シーズン後半に需要のピークを迎えると予測されている。なお、予測された各販売予定商品のアイテム内のスタイル毎のプロファイルは、商品コード及びスタイルコードに対応させてプロファイルデータ記憶部１４に記憶される。
【００３２】
次に、ステップＳ１３において算出された各販売予定商品のアイテム内のスタイル毎の数量及びステップＳ１４において作成されたプロファイルに基づいて、シーズン期間中の各時点毎における販売予定数量を算出する（ステップＳ１５）。即ち、シーズン期間中の各時点毎、例えば、シーズン開始時点からシーズン終了時点までの一週間毎に必要となる各販売予定商品のアイテム内のスタイル毎の販売予定数量を算出する。なお、算出された各販売予定商品のアイテム内のスタイル毎の販売予定数量は、商品コード及びスタイルコードに対応させてデータ記憶部１０に記憶される。
【００３３】
次に、図５のフローチャートを参照して、実施の形態に係る販売・仕入計画立案システムにおける店舗のフェースの作成処理について説明する。なお、以下においては、シーズン期間中の所定期間毎に店舗のフェースを変更する場合を例として説明する。
【００３４】
まず、店舗のフェースを作成するシーズンを選択する（ステップＳ２０）。即ち、図２に示すフローチャートのステップＳ１０において選択したシーズンと同じシーズンを選択する。
【００３５】
次に、カセットデータ記憶部１６に記憶されているカセットの中から店舗のフェースを作成するために用いるカセットを選択する（ステップＳ２１）。なお、カセットを選択する際には、各カセットの画像及びカセットを配置する店舗の画像が表示部６に表示される。
【００３６】
図６は、カセットを選択する際に表示部６に表示される店舗の画像の一例を示すものである。この図６に示すように、店舗２６内の商品展示スペースは、予め所定の単位のスペース２８に分割されている。従って、このスペース２８に配置するカセットを選択する。
【００３７】
次に、選択されたカセットを組み合わせて店舗のフェースを作成する（ステップＳ２２）。即ち、図６に示すスペース２８にステップＳ２１において選択されたカセットを配置することによって店舗のフェースを作成する。なお、カセットの配置は、図示しないマウス等のポインティングデバイスを用いて、スペース２８に配置するカセットを指定し、指定したカセットを表示部６に表示されているスペース２８に移動させることによって行われる。
【００３８】
次に、カセットデータ記憶部１６に記憶されているカセットのデータに基づいて作成された店舗のフェースを表示部６に表示する（ステップＳ２３）。即ち、店舗２６内のスペース２８に配置されたカセットの画像を表示することによって店舗のフェースを表示する。
【００３９】
次に、シーズン期間中の他の所定期間の店舗のフェースを作成する場合には（ステップＳ２４）、ステップＳ２１に戻り、ステップＳ２１〜ステップＳ２３の処理を行って他の所定期間の店舗のフェースを作成する。
【００４０】
一方、シーズン期間中に必要な店舗のフェースを全て作成した場合には、シーズン期間中の所定期間毎の店舗のフェースのデータを店舗ＩＤに対応させてフェースデータ記憶部１８に記憶する（ステップＳ２５）。
【００４１】
ここで、図７は、シーズン期間中の所定期間毎に特定の店舗において使用されるカセットの数量を示すグラフの一例である。この図７に示すように、カセットＡ、Ｂ、Ｃを用いて店舗のフェースが作成されている場合に、各時点毎に店舗のフェースを作成するために必要となるカセットＡ、Ｂ、Ｃの数量がグラフによって示されている。即ち、図７に示すように、シーズンが開始してから所定の期間経過毎に段階的にカセットＡ（グラフ３０で示す）とカセットＣ（グラフ３４で示す）が入れ替えられ、それぞれの必要数量が変更されている。また、カセットＢ（グラフ３２で示す）はシーズン期間中を通じて入れ替えがなく、必要数が変更されない。シーズン期間中の所定期間毎の店舗のフェースを作成するために使用されるカセットとそのカセットの数はフェースデータとしてフェースデータ記憶部１８に記憶される。
【００４２】
次に、シーズン期間中の各時点毎における各店舗のフェースを作成するために必要となるフェース商品の数量を算出する（ステップＳ２６）。即ち、フェースデータ記憶部１８に記憶されているフェースデータ及びカセットデータ記憶部１６に記憶されているカセットのデータに基づいてシーズン期間中の各時点毎における各店舗のフェースを作成するために必要となる商品の数量を算出する。なお、算出されたフェース商品数量を示すデータは、データ記憶部１０に記憶される。
【００４３】
次に、図８に示すフローチャートを参照して、実施の形態に係る販売・仕入計画立案システムにおける店舗販売予定数量を算出する処理について説明する。
【００４４】
まず、店舗階層情報を入力部４を介して入力する（ステップＳ３０）。即ち、店舗の立地条件等の特性条件を基にした店舗階層情報を入力する。店舗階層情報の例としては、都市型、郊外型、地方型等の階層を設定する。
【００４５】
次に、店舗の販売目標額を入力部４を介して入力する（ステップＳ３１）。例えば、前年比５％増加の販売目標額等、その店舗における年間の販売目標額を入力する。
【００４６】
次に、店舗販売予定数量を算出するシーズンを選択する（ステップＳ３２）。即ち、図２に示すフローチャートのステップＳ１０において選択したシーズンと同じシーズンを選択する。
【００４７】
次に、ステップＳ３２において選択されたシーズンにおける販売予定商品のアイテム毎に店舗の販売目標額を算出する（ステップＳ３３）。即ち、ステップＳ３０において入力された店舗階層情報、ステップＳ３１において入力された店舗の販売目標額及び商品データ記憶部１２に記憶されている商品のアイテム毎の過去の販売実績に基づいて、例えば、春シーズンに販売が予定されている販売予定商品のアイテム毎に店舗の販売目標額を算出する。なお、春シーズンに販売が予定されているその他の販売予定商品のアイテムについても店舗の販売目標額を算出する。
【００４８】
次に、ステップＳ３３において算出された販売予定商品のアイテム毎の店舗の販売目標額に基づいて店舗販売予定数量を算出する（ステップＳ３４）。即ち、商品データ記憶部１２に記憶されている商品のアイテムの平均単価でステップＳ３３において算出された販売予定商品のアイテム毎の店舗の販売目標額を除算することにより各店舗において店舗の販売目標額を達成するために必要な商品の数量を算出する。なお、算出された店舗販売予定数量は、データ記憶部１０に記憶される。
【００４９】
次に、図９に示すフローチャートを参照して実施の形態に係る販売・仕入計画立案システムによる仕入計画の立案処理について説明する。
【００５０】
まず、販売予定数量、フェース商品数量及び店舗販売予定数量に基づいて、シーズン期間中の各時点毎に必要となる仕入数量を算出する（ステップＳ４０）。即ち、データ記憶部１０に記憶されているスタイル毎の販売予定数量、店舗毎に算出されたフェース商品数量のスタイル毎の合計値及び店舗毎に算出された店舗販売予定数量のアイテム毎の合計値に基づいて、シーズン期間中に必要となる各商品のアイテム内のスタイル毎の商品数量の合計値が算出される。この合計値は、販売予定数量、フェース商品数量及び店舗販売予定数量を整合させて算出されるため、この合計値が算出された場合には、シーズン期間中の各時点毎の各店舗において必要となる仕入数量は、シーズン期間中の各時点毎の各店舗の販売目標数量及びフェース商品数量を含んだ数量となる。
【００５１】
図１０は、シーズン期間中の各時点毎に各店舗において各商品のアイテム内のスタイル毎にどれだけの数量が必要となるかを算出する処理を説明するための図である。まず、この図１０においては、商品軸３６として、シーズン期間中に必要となる各商品のアイテム内のスタイル毎の数量が示される。また、時間軸３８として、シーズン期間中の時間が示され、店舗軸４０として、各店舗が示される。
【００５２】
ここで、商品軸３６及び時間軸３８に基づいて、シーズン期間中の各時点毎において必要となる販売予定商品のアイテム内のスタイル毎の数量が示される。また、商品軸３６及び店舗軸４０に基づいて、シーズン期間中の各時点毎に各店舗において各店舗のフェースを作成するために必要となる各商品のアイテム内のスタイル毎の数量が示される。また、店舗軸４０及び時間軸３８に基づいて、各店舗においてシーズン期間中の各時点毎に必要となる販売予定商品のアイテム内のスタイル毎の数量が示される。そして、商品軸３６、時間軸３８及び店舗軸４０から、ブランドの販売目標を達成するために必要となる販売予定数量、店舗のフェースを作成するために必要となるフェース商品数量及び店舗の販売目標を達成するために必要となる店舗販売予定数量を整合させ、シーズン期間中の各時点毎に各店舗において必要となる各商品のアイテム内のスタイル毎の仕入数量が算出される。
【００５３】
次に、算出された仕入数量を表示部６に表示し（ステップＳ４１）、表示された仕入数量を印字部８を介して印字する（ステップＳ４２）。即ち、シーズン期間中の各時点毎に各店舗において必要となる各商品のアイテム内のスタイル毎の仕入数量を印字する。
【００５４】
この実施の形態に係る販売・仕入計画立案システムは、ブランドの販売目標額、プロファイル、店舗のフェース及び店舗の販売目標額に基づいてシーズン期間中の各時点毎に各店舗において必要となる商品のアイテム内のスタイル毎に仕入数量を算出している。従って、ブランドの販売目標額、店舗のフェース及び店舗の販売目標額が別々に作成される場合であっても、ブランドの販売目標額を達成すると共に、店舗のフェースを作成するために必要となる商品数量を整合させ、かつ、店舗の販売目標を達成するために必要となる商品の仕入数量を算出することができる。
【００５５】
また、必要な時期に必要となる商品数量を適切に確保することができるため、商品が存在していたならばその商品を販売することができたであろう機会の損失、即ち、商品の販売機会の損失が発生することを防止できる仕入計画を立案することができる。
【００５６】
また、店舗のフェースを予め作成された複数のカセットを組み合わせることによって作成しているため、統一された規格の下で複数の店舗の各々が所望する店舗のフェースを容易に作成することができる。
【００５７】
なお、上述の実施の形態に係る販売・仕入計画立案システムにおいては、過去の販売実績及び需要動向に基づいて販売比率を予測しているが、ブランドの販売戦略等に基づいて任意に販売比率を設定してもよい。例えば、今年の春シーズンは商品のアイテムがスカートの場合に、アイテム内のスタイルであるミニスカートの販売比率をスカート全体の販売額又は販売数量に対して２０％に決定し、決定された販売比率からミニスカートの販売額または販売数量を算出するようにしてもよい。
【００５８】
また、上述の実施の形態に係る販売・仕入計画立案システムにおいては、服飾業界における仕入計画を立案する場合を例としているが、その他の業界においても仕入計画を立案することができる。即ち、最終消費財を生産する業界であって、店頭ディスプレイ用の商品を用いて商品の陳列レイアウト等を行っている業界であれば、実施の形態に係る販売・仕入計画立案システムにおいて販売・仕入計画を立案することができる。
【００５９】
【発明の効果】
この発明によれば、ブランドの販売目標額、販売予定商品のアイテム内のスタイル毎の過去の販売実績及び販売予定商品のアイテム内のスタイル毎のプロファイルに基づいて、所定期間内の各時点毎に必要となる各販売予定商品のアイテム内のスタイル毎の数量を販売予定数量として算出している。また、所定期間内の各時点毎における店舗のフェースを作成するために必要となる商品の数量をフェース商品数量として算出している。更に、店舗の販売目標額と過去の販売実績に基づいて所定期間内に必要となる各販売予定商品のアイテム内のスタイル毎の数量を店舗販売予定数量として算出している。そして、販売予定数量、フェース商品数量及び店舗販売予定数量に基づいて、所定期間内の各時点毎に必要となる各商品のアイテム内のスタイル毎の仕入数量を算出している。従って、所定期間内の各時点毎に各店舗において販売する商品及び店舗のフェースに使用する商品を確保でき、かつ、ブランドの販売目標額及び店舗の販売目標額を達成することができる仕入計画を立案することができる。
【００６０】
また、所定期間内の各時点毎に各店舗において必要となる商品を確保することができる仕入計画を立案しているため、必要な時期に必要となる商品を適切に確保し、商品の販売機会を損失することを防止することができる。
【００６１】
また、店舗のフェースが複数のカセットを組み合わせて構成されていると共に、店舗のフェースを構成するカセットが複数の商品を組み合わせて作成されている。そのため、各店舗が所望の店舗のフェースを容易に作成することができると共に、店舗の立地条件等、個々の店舗の特性に基づいて適切な店舗のフェースを作成することができる。
【図面の簡単な説明】
【図１】この発明の実施の形態に係る販売・仕入計画立案システムのブロック構成図である。
【図２】この発明の実施の形態に係る販売予定商品の数量を算出する処理を説明するためのフローチャートである。
【図３】この発明の実施の形態に係る販売比率のランキングの一例を示す図である。
【図４】この発明の実施の形態に係るプロファイルの一例を示す図である。
【図５】この発明の実施の形態に係る店舗のフェースを作成する処理を説明するためのフローチャートである。
【図６】この発明の実施の形態に係る店舗のフェースを作成する処理を説明するための図である。
【図７】この発明の実施の形態に係る特定の店舗のフェースに使用されるカセットの数量を示すグラフの一例を示す図である。
【図８】この発明の実施の形態に係る店舗販売予定数量を算出する処理を説明するためのフローチャートである。
【図９】この発明の実施の形態に係る仕入計画を作成する処理を説明するためのフローチャートである。
【図１０】この発明の実施の形態に係る仕入計画を作成する処理を説明するための図である。
【符号の説明】
２…データ処理部、４…入力部、６…表示部、８…印字部、１０…データ記憶部、１２…商品データ記憶部、１４…プロファイルデータ記憶部、１６…カセットデータ記憶部、１８…フェースデータ記憶部、２６…店舗、２８…スペース。
【図１】
2004086396.tif 000003
【図２】
2004086396.tif 000004
【図３】
2004086396.tif 000005
【図４】
2004086396.tif 000006
【図５】
2004086396.tif 000007
【図６】
2004086396.tif 000008
【図７】
2004086396.tif 000009
【図８】
2004086396.tif 000010
【図９】
2004086396.tif 000011
【図１０】
2004086396.tif 000012